(57)【要約】【課題】地震等により家具が振動しても、該家具における棚体上に載置された物品の転落を防止することができる家具を提供する。【解決手段】家具本体１と、この家具本体へ取り付けて物品ｂを載置しておく棚体２と、この棚体へ設けた転落防止手段３とを備えさせた家具Ａにあって、転落防止手段は、棚体の前縁部へ取り付ける保持体４と、この保持体へ回動自在に設けた抑止体５とを有し、保持体は、棚体へ固着する取付片６と、この取付片と接続して棚体の前縁部との間に抑止体の止め部材７を収容する収容空間部８を形成させる側片９と、この側片に接続させて抑止体の止め部材を支承させる支承片１０と、取付片に設けた横孔１１と側片に設けた縦孔１２とを連続させて形成させた長孔１３とからなる。【選択図】    図１
2005312565.tif 000002
【特許請求の範囲】
【請求項１】
家具本体と、この家具本体へ取り付けて物品を載置しておく棚体と、この棚体へ設けた転落防止手段とを備えさせた家具にあって、
前記転落防止手段は、前記棚体の前縁部へ取り付ける保持体と、この保持体へ回動自在に設けた抑止体とを有し、
前記保持体は、前記棚体へ固着する取付片と、この取付片と接続して前記棚体の前縁部との間に前記抑止体の止め部材を収容する収容空間部を形成させる側片と、この側片に接続させて前記抑止体の止め部材を支承させる支承片と、前記取付片に設けた横孔と前記側片に設けた縦孔とを連続させて形成させた長孔とからなり、
前記抑止体は、前記棚体上の物品を受ける受け部材と、この受け部材に接続させて前記保持体の長孔内を移動自在に係合する支持部材と、この支持部材に延設させて該支持部材の前記長孔からの離脱を防止する前記止め部材とからなることを特徴とする家具。
【請求項２】
抑止体は、棚体へ取り付けられた一対の保持体へ垂直状態と手前側への傾倒状態とを選択的に回動されることを特徴とする請求項１記載の家具。
【請求項３】
抑止体における受け部材は、枠状や格子状，網状，板状のいずれかに形成されることを特徴とする請求項１記載の家具。
【発明の詳細な説明】
【技術分野】
【０００１】
本発明は、地震等により家具が振動しても、該家具における棚体上に載置された物品の転落を防止することができる家具に関する。
【背景技術】
【０００２】
従来、地震時における棚板に乗せた物品の落下を防止する装置は種々知られている（例えば、特許文献１参照。）。
【０００３】
【特許文献１】特開平８−２４０６１号公報
【０００４】
このものは、棚板の前縁に前後回動自在に取り付けた左右の回動翼に止板の左右両側縁を該回動翼の長さ方向に沿わせて摺動自在に支持させ、この止板を直立させた状態において下方へ一定量だけスライドさせてその下端部背面を棚板の前端面に当接させるようにしたものである。
【０００５】
そのため、止板を支持する回動翼及びこの回動翼を軸支する固定翼が棚板上に突出するため、該棚板上に物品を載置する際に、物品がこの固定翼あるいは回動翼に当たって邪魔になり、該物品の載置スペースが規制される。
また、物品の棚板への搬入出の際も、この固定翼あるいは回動翼が邪魔になり、円滑な作業がしにくいものであった。
特に構造が複雑なため、コストアップとなり、低廉価での市場提供が困難なものであった。
【発明の開示】
【発明が解決しようとする課題】
【０００６】
本発明は、前記した問題点を解決するためになされたもので、家具本体と、この家具本体へ取り付けて物品を載置しておく棚体と、この棚体へ設けた転落防止手段とを備えさせた家具にあって、転落防止手段は、棚体の前縁部へ取り付ける保持体と、この保持体へ回動自在に設けた抑止体とを有し、保持体は、棚体へ固着する取付片と、この取付片と接続して棚体の前縁部との間に抑止体の止め部材を収容する収容空間部を形成させる側片と、この側片に接続させて前記抑止体の止め部材を支承させる支承片と、取付片に設けた横孔と前記側片に設けた縦孔とを連続させて形成させた長孔とからなることにより、地震等により家具が振動しても、該家具における棚体上に載置された物品の転落を防止することができる家具を提供することを目的としている。
【課題を解決するための手段】
【０００７】
前記した目的を達成するための本発明は、
家具本体と、この家具本体へ取り付けて物品を載置しておく棚体と、この棚体へ設けた転落防止手段とを備えさせた家具にあって、
前記転落防止手段は、前記棚体の前縁部へ取り付ける保持体と、この保持体へ回動自在に設けた抑止体とを有し、
前記保持体は、前記棚体へ固着する取付片と、この取付片と接続して前記棚体の前縁部との間に前記抑止体の止め部材を収容する収容空間部を形成させる側片と、この側片に接続させて前記抑止体の止め部材を支承させる支承片と、前記取付片に設けた横孔と前記側片に設けた縦孔とを連続させて形成させた長孔とからなり、
前記抑止体は、前記棚体上の物品を受ける受け部材と、この受け部材に接続させて前記保持体の長孔内を移動自在に係合する支持部材と、この支持部材に延設させて該支持部材の前記長孔からの離脱を防止する前記止め部材とからなる家具の構成にある。
【０００８】
抑止体は、棚体へ取り付けられた一対の保持体へ垂直状態と手前側への傾倒状態とを選択的に回動される。
【０００９】
抑止体における受け部材は、枠状や格子状，網状，板状のいずれかに形成される。
【発明の効果】
【００１０】
本発明は、地震等により家具が振動しても、該家具における棚体上に載置された物品の転落を防止することができると共に、簡単な構造により形成されるため、低廉価の市場提供が可能となる。
【発明を実施するための最良の形態】
【００１１】
次に、本発明に関する家具の一実施例を図面に基づいて説明する。
図１及び図６においてＡは家具であって、家具本体１と、棚体２と、転落防止手段３とにより基本的に構成される。
【００１２】
そして、前記した家具本体１は、木製や金属製等の側板や天板、底板，背板などにより所定の枠状に形成されていて、内部に、単体または多数からなる棚体２が収容される空間部１ａが設けられている。
【００１３】
前記した棚体２は、家具本体１へダボとダボ孔などからなる係止手段４により略水平に取り付けて、その上部に書籍や食器，小物等の任意の物品ｂを載置しておくもので、家具本体１の形態に合わせた幅寸法と奥行き寸法を有する平板状に形成されている。
これら家具本体１と棚体２とにより、書棚や食器棚、あるいは小物などの載置棚など適宜で任意な家具Ａが構成される。
【００１４】
前記した転落防止手段３は、棚体２の前縁部２ａ（図２参照）へ取り付ける保持体４と、この保持体４へ回動自在に設けた抑止体５とを有する。
そして、このうち、保持体４の一つの例は、図２〜図４に示すように、金属等により略コの字状に形成してあって、棚体２の上面へ固着する略水平状の取付片６と、この取付片６と一体的に接続して棚体２の前縁部２ａとの間に、抑止体５の止め部材７を収容する収容空間部８を形成させる側片９と、この側片９と一体的に接続させて抑止体５の止め部材７を高さ方向に対して支承させる略水平状の支承片１０と、取付片６に設けた横孔１１と側片９に設けた縦孔１２とを連続させて形成させた長孔１３とからなる。
【００１５】
なお、この保持体４は、棚体２へ強固に固着されるもので、例えば、図２，図３等に示すように、取付片６と支承１０に穿設して通孔１４を介して、ビス等の止着部材２５により固定する。また、必要な固定強度が得られるのであれば接着剤等の適宜な止着部材２５が利用できる。
【００１６】
更に、この保持体４の固着にあっては、図５に示すように、棚体２の側縁部２ｂへ取付片６を通孔１４（図示せず）を介して止着部材２５により止め付けたり、図示してないが、、支持片１０のみにより棚体２の下面へ通孔１４を介して止着部材により止め付けたりすることができる。
【００１７】
前記した抑止体５は、棚体２上の物品ｂを受ける（物品ｂの移動を受け止めてその移動を阻止する）受け部材１５と、この受け部材１５の両側部に接続させて保持体４の長孔１３内を移動自在に係合する両側一対の支持部材１６，１６と、この支持部材１６，１６へそれぞれに延設させて、該支持部材１６の長孔１３からの離脱（抜け出し）を防止する止め部材７とからなる門型状に形成される。
【００１８】
なお、前記支持部材１６は、断面円形や角形状等の棒状に形成されていて、保持体４の長孔１３内を該長孔１３に沿って円滑に移動できる太さ（外径）を有し、好ましくは、支持部材１６の外周部と長孔１３内とにわずかな隙間（無用なガタを有しない状態）をもって係合するように設けられている。更に、長孔１３における縦孔１２は、その縦方向の深さ寸法は、支持部材１６の太さ（外径）と略同一に形成することで、抑止体５の支持部材１６を傾倒させたとき、該支持部材１６が縦孔１２内に納まって、倒れた抑止体５を略水平状態まで回動させることができる。
【００１９】
また、止め部材７は、長孔１３の孔幅より大形の形態（支持部材１６を垂直等に引き上げたとき、保持部材４の取付片６に移動を規制される大きさ）を有していて、かつ、棚板２の前縁部２ａ面と略平行する該前縁部２ａ面との当接面部（当接できて荷重を受け得る強度の寸法）を有しているもので、支持部材１６を前縁部２ａ面と略平行で支持部材１６に対して略直角に折曲することで簡便にその形態が得られる。
更に、この止め部材７は、棚体２の前縁部２ａと側片９の内壁との間に形成される収容空間部８内を上下方向へ移動したり、また、該止め部材７の長さ方向（軸方向）を中心として回動自在となる。
【００２０】
そして、この抑止体５は、棚体２へ取り付けられた一対の保持体４，４へ垂直状態（図３（ａ）参照）と手前側への傾倒状態（図３（ｂ）参照）とを選択的に回動される。
また、該抑止体５は、必要に応じて、図６に示すように、二分割や三分割、あるいは、図示してないが、多数個に分割することができるもので、この場合、分割されたそれぞれの抑止体５は、棚体２に取り付けられる左右一対の保持体４，４によりその両端部（支持部材１６，１６と止め部材７，７）が支持される。
【００２１】
更に、抑止体５における受け部材１５は、棚板２上に載置される物品ｂの形態に応じて、図１等に示すような枠状や、図７（ａ）に示すような格子状、図７（ｂ）に示すような網状、あるいは、図７（ｃ）に示すようなアクリル等の可視（透明状の）板状などに形成される。これにより、比較的小さな外形（小物類）を有する物品ｂであっても、物品ｂが抑止体５の隙間空間から抜け出ることなく、確実に棚体２上からの物品ｂの転落を防止することができる。
【００２２】
したがって、前記のように構成される本発明に係る一実施例の家具Ａは、以下に述べる作用を奏する。
家具本体１の棚体２への転落防止手段３の取り付けに際しては、保持体４の長孔１３へ抑止体５の支持部材１６における止め部材７を通して該長孔１３の係合させておき、保持体４の取付片６及び支持片１０を棚体２に対して止着手段１５により止め付ける。
【００２３】
このとき、棚体２の前縁部２ａと保持体４における側片９の内壁との間には、支持部材１６における止め部材７の収容空間部８が形成されるように設けられる。
これにより、図１等に示すように、棚体２の前側部には転落防止手段３が設けられる。
【００２４】
そして、この転落防止手段３の使用にあって、まず、抑止体５における支持部材１６の止め部材７を、図８（ａ）に示すように、棚体２の前縁部２ａに取り付けられた保持体４の長孔１３内へ押し込んで、図８（ｂ）に示すように、該支持部材１６を略垂直に起こすことで、保持体４と抑止体５との係合が簡単になされる。
【００２５】
家具Ａの棚体２上へ物品ｂを載置するときは、図３（ａ）及び図４において左側に示す状態において、抑止体５を上方へ持ち上げて、支持部材１６下端部の止め部材７を収容空間部８内を移動させて長孔１３の位置に対応させる。この状態で、抑止体５を、図３（ｂ）及び図８（ｃ）において示す矢印の方向（棚体２の手前側）へ回動すると、該抑止体５の支持部材１６は長孔１３の横穴１１と縦孔１２をガイドとして傾倒し、縦孔１２の下側内縁に支持部材１６の外側部が当たって回動が止まる。したがって、図３（ｂ）及び図４において右側に示す状態に、いわゆる、略水平状態に抑止体５が保持されるので、棚板２上への物品ｂの出し入れや載置が容易に行うことができる。
【００２６】
こうして、棚体２上へ物品ｂを載置できれば、図３（ｂ）及び図４において右側に示す状態から、抑止体５を上方へ持ち上げると、収容空間部８内及び長孔１３内において支持部材１６の止め部材７が上昇し、かつ、該止め部材７を中心として抑止体５が回動して、その支持部材１６内側部が棚体２の前縁部２ａに当接することで、図３（ａ）及び図４において左側に示す状態の略垂直の位置決めがなされる。このとき、抑止体５はその自重により収容空間部８内を降下し、支持部材１６の止め部材７が保持体４の支承片１０上に当接して停止し、支持部材１６の前側部及び後側部は側片９の内壁と棚体２の前縁部２ａにゆるく（ガタがない状態の）挟まれた状態で略垂直状態が保持される。
【００２７】
したがって、地震等の発生による家具Ａの振動により、棚体２上の物品ｂが該棚体２の前側部へ移動し、この棚体２の外端縁より落下しようとしても、略垂直状に立ち上がっている抑止体５が、図３（ａ）に示すように、物品ｂの移動を阻止して棚体２からの連絡を防止することができる。
更に、同図において矢印ｐの方向へ物品ｂの移動力が働いても、抑止体５における支持部材１６の止め部材７が棚体２の前縁部２ａに当接し、かつ、収容空間部８内において止め部材７より上部の支持部材１６の外側部が側片９の内壁に当接しているので、物品ｂの移動力を受け止めて物品ｂの移動を確実に止めることができる。
【００２８】
このように、転落防止手段３における抑止体５のセットと該抑止体５の解除とがワンタッチ操作により行うことができ、また、その構造が簡単であるため、容易に棚体２へ設置することができて故障が少なく、低廉価で市場提供することができる。
また、棚体２へ直接取り付ける構成であるため、該棚体２の移動に支障を来すことがなく、しかも、その移動にあっても、該移動後にそのままの状態で再利用することができる。
【図面の簡単な説明】
【００２９】
【図１】本発明に関する一実施例の家具を示す斜視図である。
【図２】本発明に関する家具の転倒防止手段を分解して示す斜視図である。
【図３】図１における家具の転倒防止手段の作動状態示す説明図である。
【図４】図１における家具の転倒防止手段の要部を示す一部の正面図である。
【図５】図１における家具の転倒防止手段の他の例を示す斜視図である。
【図６】図１における家具の転倒防止手段の抑止体を分割した例を示す斜視図である。
【図７】図１における家具の転倒防止手段の抑止体の他の例の形態を示す正面図である。
【図８】図１における家具の転倒防止手段の抑止体の作動例を示す斜視図である。
【符号の説明】
【００３０】
Ａ…家具．ｂ…物品．１…家具本体．２…棚体．３…転落防止手段．４…保持体．５…抑止体．６…取付片．７…止め部材．８…収容空間部．９…側片．１０…支承片．１１…横孔．１２…縦孔．１３…長孔．１５…受け部材．１６…支持部材．
【図１】
2005312565.tif 000003
【図２】
2005312565.tif 000004
【図３】
2005312565.tif 000005
【図４】
2005312565.tif 000006
【図５】
2005312565.tif 000007
【図６】
2005312565.tif 000008
【図７】
2005312565.tif 000009
【図８】
2005312565.tif 000010